Podtech/llm-jp-corpus-v4-ja_patent huggingface dataset:
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2015526499.tif 000001
［式中、
Ｒ１が、Ｃ１−Ｃ６アルキル基であり、
Ｒ２が、Ｈ、またはＣ１−Ｃ６アルキル基であり、
Ｒ３が、Ｈ、またはＣ１−Ｃ６アルキル基であり、
ｎが、０〜５の整数である。］
の化合物、またはその任意の塩。
【請求項２】
請求項１に定義される式（Ｉ）の化合物、式（Ｉａ）の塩、または式（Ｉｂ）の塩：
【化２】
2015526499.tif 000002
［式中、
Ｒ１、Ｒ２、Ｒ３、およびｎが、請求項１に定義される通りであり；
各Ｘ−が独立して、一価の対イオンから選択される。］
である、請求項１に記載の化合物。
【請求項３】
Ｘ−が、Ｃｌ−である、請求項２に記載の化合物。
【請求項４】
Ｒ１が、エチルであり、Ｒ２およびＲ３が、Ｈであり、ｎが、１である、請求項１〜３のいずれか一項に記載の化合物。
【請求項５】
式（Ｉｃ）：
【化３】
2015526499.tif 000003
の塩である、請求項４に記載の化合物。
【請求項６】
請求項１〜５のいずれか一項に記載の化合物、および薬学的に許容される担体を含む医薬組成物。
【請求項７】
請求項４または５に記載の化合物、および薬学的に許容される担体を含む、請求項６に記載の医薬組成物。
【請求項８】
請求項１〜５のいずれか一項に記載の化合物の製造方法であって、以下のステップ：
（ａ）以下の反応スキーム：
【化４】
2015526499.tif 000004
［式中、
Ｒ１、Ｒ２、Ｒ３、およびｎが、請求項１に定義される通りであり；
ＲＰＧ１およびＲＰＧ２が、保護基である］
に従って、エステル化反応を介して式（ＩＩ）の化合物を式（ＩＩＩ）の化合物と反応させて、式（ＩＶ）の化合物を形成すること、および
（ｂ１）（ｂ１）以下の反応スキーム：
【化５】
2015526499.tif 000005
に従って、前記式（ＩＶ）の化合物を脱保護し、式（Ｉ）の化合物を得ること、または
（ｂ２）（ｂ２）以下の反応スキーム：
【化６】
2015526499.tif 000006
に従って、酸Ｈ＋Ｘ−の存在下で前記式（ＩＶ）の化合物を脱保護し、式（Ｉａ）の塩を得ること
を含む、方法。
【請求項９】
請求項１〜５のいずれか一項に記載の化合物を含む医薬組成物。
【請求項１０】
光力学療法に使用するための、請求項１〜５のいずれか一項に記載の化合物を含む医薬組成物。
【請求項１１】
細胞の異常増殖により生じる、および／または悪化する症状の治療のための、請求項１０に記載の医薬組成物。
【請求項１２】
細胞の異常増殖により生じる、および／または悪化する症状に罹患する、または罹患するリスクのあるヒトまたは動物患者を治療するための、請求項１〜５のいずれか一項に記載の化合物を含む医薬組成物であって、請求項１〜５のいずれか一項に記載の化合物の治療有効量が前記患者に投与され、前記化合物を含む前記患者の領域が光力学療法の一部として露光される、医薬組成物。
【請求項１３】
癌の治療のための、請求項１０に記載の医薬組成物。
【請求項１４】
強皮症、硬化性苔癬、乾癬、疣、慢性創傷、座瘡、微生物感染、寄生虫の寄生、または関節リウマチの治療のための、または白血病の治療における骨髄浄化のための、請求項１０に記載の医薬組成物。
【請求項１５】
光力学処置において、請求項１〜５のいずれか一項に記載の化合物を適用することを含む美容的方法。
【請求項１６】
請求項１〜５のいずれか一項に記載の化合物を使用することを含む、細胞の異常増殖により生じる、および／または悪化する症状を予測する方法。
【請求項１７】
インビトロで行われる、請求項１１に記載の方法。
【請求項１８】
細胞の異常増殖により生じる、および／または悪化する症状の、光力学療法による治療のための薬剤の製造のための、請求項１〜５のいずれか一項に記載の化合物の使用。
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
選択的ベータ−３アドレナリン受容体アゴニスト化合物を含む、肺高血圧症の治療及び／又は予防のために用いられる医薬。
【請求項２】
前記選択的アゴニストが、
ＢＲＬ３７３４４、
ＣＬ３１６２４３、
ＡＺ００２、
ＢＭＳ１８７２５７、
Ｌ−７５５５０７、
Ｌ−７５０３５５、
ＦＲ−１４９１７５、
ＧＷ４２７３５３（ソラベグロン）、
ＹＭ１７８（ミラベグロン）、
ＣＲ５８６１１、
ＳＲ５８６１１Ａ（アミベグロン）、
ＳＲ５９１０４Ａ及び
ＳＲ５９１１９Ａ、
並びにそれらの薬学的に許容可能な塩からなる化合物群より選択される、請求項１に記載の医薬。
【請求項３】
前記選択的アゴニストがフェニルエタノールアミンである、請求項１に記載の医薬。
【請求項４】
前記選択的アゴニストが下記一般式：
【化１】
2015526497.tif 000001
（式中、Ｒ１は水素又はハロゲンを表し、Ｒ２は任意に置換されていてもよいアラルキル又は
【化２】
2015526497.tif 000002
から選択されるラジカルである）
を有する化合物である、請求項３に記載の医薬。
【請求項５】
Ｒ１がメタ位の塩素である、請求項４に記載の医薬。
【請求項６】
Ｒ２が、任意にフェニル置換されていてもよい１−メチル−２−フェニルエチルラジカルである、請求項４に記載の医薬。
【請求項７】
前記選択的アゴニストがＣＬ３１６２４３及びＢＲＬ３７３４４、又はそれらの薬学的に許容可能な塩から選択される、請求項１〜６のいずれか一項に記載の医薬。
【請求項８】
前記選択的アゴニストがナトリウム塩の形態のＢＲＬ３７３４４である、請求項１〜７のいずれか一項に記載の医薬。
【請求項９】
Ｒ１が水素である、請求項４に記載の医薬。
【請求項１０】
Ｒ２が任意にフェニル置換されていてもよい２−フェニルエチルラジカルである、請求項４に記載の医薬。
【請求項１１】
前記選択的アゴニストがＹＭ１７８（ミラベグロン）又はその塩である、請求項９又は１０に記載の医薬。
【請求項１２】
前記選択的アゴニストがＧＷ４２７３５３（ソラベグロン）及びＳＲ５８６１１Ａ（アミベグロン）、又はそれらの薬学的に許容可能な塩から選択される、請求項２〜５のいずれか一項に記載の医薬。
【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
式Ｉの化合物またはその薬剤的に許容できる塩であって、
【化１】
2015526475.tif 000001
式中、
Ｒ１１は、ベンジルアミノ、Ｎ−メチルベンジルアミノ、Ｎ−メチル（４−フルオロベンジル）アミノ、Ｎ−メチル（４−メトキシベンジル）アミノ、Ｎ−メチル（３，５−ジメトキシベンジル）アミノ、Ｎ−メチル（ピリジン−２−イル）アミノ、Ｎ−メチル（ピリジン−３−イル）アミノ、ピペリジノ、４−メチルピペラジン−１−イル、モルホリノ、チオモルホリノ、ピロリジノ、３−メチルピロリジン−１−イル、３−メトキシピロリジン−１−イル、ピロリジン−３−オール−１−イル、２−（２−メタノール−１−イル）ピロリド−１−イル、２−（ピロリジン−１−イルメチル）ピロリジン−１−イル、２−（２−プロパノール−２−イル）ピロリジン−１−イル、イソインドリン−２−イル、４−（ピロリジン−１−イル）ピペリジン−１−イル、Ｎ，Ｎ−ジエチルアミノ、Ｎ−メチル−Ｎ−エチルアミノ、Ｎ−メチル−Ｎ−イソプロピルアミノ、Ｎ−メチル−Ｎ−シクロプロピルアミノ、Ｎ−メチル−Ｎ−エチニルアミノ、Ｎ−（２−メトキシエチル）−Ｎ−メチルアミノ、Ｎ−（チアゾール−２−イルメチル）−Ｎ−メチルアミノ、アゼチジン−１−イル、３−メチル−３−オール−アゼチジン−１−イル、３−（エタノール−２−イル）アゼチジン−１−イル、３−メトキシアゼチジン−１−イル、３−ヒドロキシアゼチジン−１−イル、３−エトキシアゼチジン−１−イル、３−イソプロポキシアゼチジン−１−イル、３−（２−プロパノール−２−イル）アゼチジン−１−イル、３−（モルホリノメチル）アゼチジン−１−イル、３−モルホリノアゼチジン−１−イル、３−（ピロリジン−１−イル）アゼチジン−１−イル、３−（ピロリジン−１−イルメチル）アゼチジン−１−イル、３−（１−メトキシエチル）アゼチジン−１−イル、Ｎ−（３−（Ｎ，Ｎ−ジメチルアミノ）プロピル）−Ｎ−メチルアミノ、および４−（Ｎ，Ｎ−ジメチルアミノ）ピペリジン−１−イルからなる群から選択され；
Ｒ１３は、３−（１−エタノール−２−イル）フェニル、３−（１−オール−２，２，２−トリフルオロエタン−２−イル）フェニル、２−（１−オール−２，２，２−トリフルオロエタン−２−イル）フェニル、４−（１−オール−２，２，２−トリフルオロエタン−２−イル）フェニル、３−（３−オール−オキセタン−３−イル）フェニル、３−メタノニルフェニル、３−（（ピペラジン−１−イル）メタノン−２−イル）フェニル、３−（（モルフォリン−１−イル）メタノン−２−イル）フェニル、３−（（ピロリジン−１−イル）メタノン−２−イル）フェニル、３−（（Ｎ−シクロプロピル）アミド−２−イル）フェニル，メタノニル、トリフルオロメタノニル、１−オール−２，２，２−トリフルオロエタン−２−イル、３−オール−オキセタン−３−イル、（１−オール−２，２，２−トリフルオロエタン−２−イル）チオフェン−２−イル、１−オール−プロパ−２−エン−３−イル、２−オール−ブタ−３−エン−４−イル、および２−オール−２−トリフルオロメチル−（１，１，１−トリフルオロ）ブタ−３−エン−４−イルからなる群から選択され；
Ｒ１２およびＲ１４はそれぞれ、独立して水素またはアルキルである、
上記化合物またはその薬剤的に許容できる塩。
【請求項２】
式Ｉの化合物であって、
式中、Ｒ１１はベンジルアミノ、Ｎ−メチルベンジルアミノ、Ｎ−メチル（４−フルオロベンジル）アミノ、ピロリジノ、イソインドリン−２−イル、４−（ピロリジン−１−イル）ピペリジン−１−イル、３−メチル−３−オール−アゼチジン−１−イル、３−（エタノール−２−イル）アゼチジン−１−イル、３−メトキシアゼチジン−１−イル、３−ヒドロキシアゼチジン−１−イル、および３−エトキシアゼチジン−１−イルからなる群から選択され；
Ｒ１３は３−（１−エタノール−２−イル）フェニルおよび３−（１−オール−２，２，２−トリフルオロエタン−２−イル）フェニルからなる群から選択される、
式Ｉの化合物。
【請求項３】
式Ｉの化合物であって、
式中、Ｒ１１はベンジルアミノ、Ｎ−メチルベンジルアミノ、Ｎ−メチル（４−フルオロベンジル）アミノ、ピロリジノ、イソインドリン−２−イル、４−（ピロリジン−１−イル）ピペリジン−１−イル、３−メチル−３−オール−アゼチジン−１−イル、３−（エタノール−２−イル）アゼチジン−１−イル、３−メトキシアゼチジン−１−イル、３−ヒドロキシアゼチジン−１−イル、および３−エトキシアゼチジン−１−イルからなる群から選択される、
式Ｉの化合物。
【請求項４】
対象におけるアミロイド疾患の治療に使用する請求項１〜２のいずれか一項に記載の化合物であって、前記治療が、治療有効量の前記化合物を対象に投与することを含む、化合物。
【請求項５】
アミロイド疾患がアルツハイマー病である、請求項４に記載のアミロイド疾患の治療に使用する化合物。
【請求項６】
アミロイド疾患が進行性核上性麻痺である、請求項４に記載のアミロイド疾患の治療に使用する化合物。
【請求項７】
請求項１〜３のいずれか一項に記載の化合物および薬剤的に許容できる担体を含む、医薬組成物。
【請求項８】
記憶喪失、認知喪失およびそれらの組み合わせから選択される構成要素である状態の治療に使用する請求項１〜３のいずれか一項に記載の化合物であって、前記治療が、治療を必要とする対象に治療有効量の前記化合物を投与することを含む、化合物。
【請求項９】
前記状態がアルツハイマー病と関連する、請求項８に記載の状態の治療に使用する化合物。
【請求項１０】
約０．０００３〜約５０ｍｇ／体重ｋｇの合計一日量が投与される、請求項８に記載の状態の治療に使用する化合物。
【請求項１１】
６５％以上のΑβ４０（２０μｍ）の阻害率を有する、請求項１に記載の化合物。
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
式（Ａ）の化合物またはこの塩を調製するための方法であって、溶媒の存在下で式（５）の化合物をスルホンアミド化するステップを含み、該溶媒は２−メチルテトラヒドロフランおよび酢酸エチルの混合物である、方法：
【化１】
2015526473.tif 000001
（式中、ＬＧ１は、脱離基であり；
Ｒ４は、Ｃ１−Ｃ６−アルキル、Ｃ１−Ｃ６−フルオロアルキル、Ｃ１−Ｃ６−ヒドロキシアルキル、フェニル、２−チエニル、３−チエニル、２−フラニルおよび３−フラニルからなる群から選択され；
Ｒ５は、水素、フルオロ、クロロ、Ｃ１−Ｃ６−アルキルおよびＣ１−Ｃ６−アルキルオキシからなる群から選択され；
Ｒ６は、Ｃ１−Ｃ６−アルキルおよびＣ１−Ｃ６−フルオロアルキルからなる群から選択される。）。
【請求項２】
ＬＧ１が、クロロ、ブロモ、ヨード、および−ＯＳＯ２Ｒ１ａ（ここでＲ１ａは、アリール、アルキル、フルオロアルキル、−フルオロアルキル−Ｏ−フルオロアルキル、−Ｎ（アルキル）２、−Ｏ（アルキル）、−Ｏ（アリール）、フルオロ、イミダゾリルならびにこれらの異性体および同族体からなる群から選択される。）からなる群から選択される、請求項１に記載の方法。
【請求項３】
Ｒ４がｔ−ブチルであり、Ｒ５がメトキシであり、Ｒ６がメチルである、請求項１に記載の方法。
【請求項４】
Ｒ１ａがペルフルオロブチルまたはトリフルオロメチルである、請求項２に記載の方法。
【請求項５】
化合物（５）が、６−（３−ｔｅｒｔ−ブチル−５−（２，４−ジオキソ−３，４−ジヒドロピリミジン−１（２Ｈ）−イル）−２−メトキシフェニル）ナフタレン−２−イル１，１，２，２，３，３，４，４，４−ノナフルオロブタン−１−スルホネートである、請求項１に記載の方法。
【請求項６】
化合物（５）が、塩基の存在下で遷移金属触媒または遷移金属触媒前駆物質および配位子を使用してスルホンアミド化される、請求項１に記載の方法。
【請求項７】
遷移金属触媒または遷移金属触媒前駆物質中の遷移金属がパラジウムである、請求項６に記載の方法。
【請求項８】
パラジウム触媒またはパラジウム触媒前駆物質が、テトラキス（トリフェニルホスフィン）パラジウム（０）、ジクロロビス（トリ−ｏ−トリルホスフィン）パラジウム（ＩＩ）、酢酸パラジウム（ＩＩ）、［１，１’−ビス（ジフェニルホスフィノ）フェロセン］ジクロロパラジウム（ＩＩ）、トリス（ジベンジリデンアセトン）ジパラジウム（０）、ビス（ジベンジリデンアセトン）パラジウム（０）、ジクロロビス（トリシクロヘキシルホスフィン）パラジウム（ＩＩ）、ジクロロビス（トリフェニルホスフィン）パラジウム（ＩＩ）、クロロ（η３−アリル）パラジウム（ＩＩ）二量体、塩化パラジウム（ＩＩ）、臭化パラジウム（ＩＩ）およびビス（アセトニトリル）ジクロロパラジウム（ＩＩ）からなる群から選択される、請求項７に記載の方法。
【請求項９】
配位子が、ジ−ｔｅｒｔ−ブチル（２’，４’，６’−トリイソプロピル−３，４，５，６−テトラメチルビフェニル−２−イル）ホスフィン、ジ−ｔｅｒｔ−ブチル（２’，４’，６’−トリイソプロピル−３，６−ジメトキシビフェニル−２−イル）ホスフィンまたは７，７，９，９−テトラメチル−８−（２’，４’，６’−トリイソプロピル−３，６−ジメトキシビフェニル−２−イル）−１，４−ジオキサ−８−ホスファスピロ［４．５］デカンである、請求項６に記載の方法。
【請求項１０】
塩基が、リン酸三カリウム、炭酸セシウム、炭酸カリウム、炭酸ナトリウム、ナトリウムｔｅｒｔ−ブトキシド、カリウムｔｅｒｔ−ブトキシド、リチウムビス（トリメチルシリル）アミドおよびリチウムジイソプロピルアミドからなる群から選択され、好ましくは水和されたリン酸三カリウムである、請求項６に記載の方法。
【請求項１１】
溶媒が、２−メチルテトラヒドロフランおよび酢酸エチルの１：２から１：３の混合物である、請求項１に記載の方法。
【請求項１２】
化合物（５）が、溶媒中でリン酸三カリウム、トリス（ジベンジリデンアセトン）ジパラジウム（０）およびジ−ｔｅｒｔ−ブチル（２’，４’，６’−トリイソプロピル−３，６−ジメトキシビフェニル−２−イル）ホスフィンの存在下においてメタンスルホンアミドと反応させられて、化合物（Ａ）を生じる、請求項１に記載の方法。
【請求項１３】
化合物（５）が、溶媒中でリン酸三カリウム、トリス（ジベンジリデンアセトン）ジパラジウム（０）および７，７，９，９−テトラメチル−８−（２’，４’，６’−トリイソプロピル−３，６−ジメトキシビフェニル−２−イル）−１，４−ジオキサ−８−ホスファスピロ［４．５］デカンの存在下においてメタンスルホンアミドと反応させられて、化合物（Ａ）を生じる、請求項１に記載の方法。
【請求項１４】
溶媒が、２−メチルテトラヒドロフランおよび酢酸エチルの１：２混合物である、請求項１に記載の方法。
【請求項１５】
溶媒が、２−メチルテトラヒドロフランおよび酢酸エチルの１：３混合物である、請求項１に記載の方法。
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
ヒト患者における心房拡大及び／又はリモデリングを特徴とする疾患の治療、予防、又はその進行遅延のための医薬組成物であって、Ｎ−（３−カルボキシ−１−オキソプロピル）−（４Ｓ）−ｐ−フェニルフェニルメチル）−４−アミノ−（２Ｒ）−メチルブタン酸エチルエステル若しくは医薬的に許容されるその塩を含み、
前記疾患が、駆出率保持型心不全（ＨＦ−ＰＥＦ）であり、
前記治療、予防、又は進行遅延が、左房容量、左房容量インデックス（ＬＡＶＩ）、及び／又は左房径の低下により特徴付けられる、医薬組成物。
【請求項２】
前記医薬組成物が、心房細動を治療若しくは予防するためのものであるか、又は心房細動の新規発現を予防若しくは新規発現までの時間を遅延させるためのものである、請求項１に記載の医薬組成物。
【請求項３】
前記医薬組成物が、心房細動の病歴を有さない、駆出率保持型心不全（ＨＦ−ＰＥＦ）に罹患している患者を治療するためのものである、請求項１又は２に記載の医薬組成物。
【請求項４】
前記治療、予防、又は進行遅延が、血漿ＮＴ−ｐｒｏＢＮＰのレベルの低下により特徴付けられる、請求項３に記載の医薬組成物。
【請求項５】
前記化合物の投与が、血漿ＮＴ−ｐｒｏＢＮＰ濃度の持続的低下を引き起こす、請求項１から４のいずれか一項に記載の医薬組成物。
【請求項６】
前記治療、予防、又は進行遅延が、心不全に罹患した患者のＮＹＨＡ分類における改善、安定化、又は悪化遅延によって特徴付けられる、請求項１から５のいずれか一項に記載の医薬組成物。
【請求項７】
前記化合物が、バルサルタン又は医薬的に許容されるその塩と同時に又は逐次的に、共に投与される、請求項１から６のいずれか一項に記載の医薬組成物。
【請求項８】
前記化合物及びバルサルタンが、１：１のモル比で投与される、請求項７に記載の医薬組成物。
【請求項９】
１：１のモル比の前記化合物およびバルサルタンが、ＬＣＺ６９６の形態（［３−（（１Ｓ，３Ｒ）−１−ビフェニル−４−イルメチル−３−エトキシカルボニル−１−ブチルカルバモイル）プロピオネート−（Ｓ）−３’−メチル−２’−（ペンタノイル｛２’’−（テトラゾール−５−イレート）ビフェニル−４’−イルメチル｝アミノ）酪酸］三ナトリウム２．５水和物）で投与される、請求項８に記載の医薬組成物。
【請求項１０】
ＬＣＺ６９６が、５０ｍｇ、１００ｍｇ、２００ｍｇ、又は４００ｍｇの用量で１日２回投与される、請求項９に記載の医薬組成物。
【請求項１１】
ヒト患者における心房拡大及び／又はリモデリングを特徴とする疾患の治療、予防、又はその進行遅延のための医薬を製造するための、Ｎ−（３−カルボキシ−１−オキソプロピル）−（４Ｓ）−ｐ−フェニルフェニルメチル）−４−アミノ−（２Ｒ）−メチルブタン酸エチルエステル若しくは医薬的に許容されるその塩の使用であって、
前記疾患が、駆出率保持型心不全（ＨＦ−ＰＥＦ）であり、
前記治療、予防、又は進行遅延が、左房容量、左房容量インデックス（ＬＡＶＩ）、及び／又は左房径の低下により特徴付けられる、使用。
【請求項１２】
前記化合物が、［３−（（１Ｓ，３Ｒ）−１−ビフェニル−４−イルメチル−３−エトキシカルボニル−１−ブチルカルバモイル）プロピオネート−（Ｓ）−３’−メチル−２’−（ペンタノイル｛２’’−（テトラゾール−５−イレート）ビフェニル−４’−イルメチル｝アミノ）酪酸］三ナトリウム２．５水和物としてのＬＣＺ６９６の形態で存在する、請求項１１に記載の使用。
【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
ヒトの未分化幹細胞で発現されたMUC1タンパク質のエピトープに特異的に結合する抗体を、幹細胞への刺激によって利益を得る患者若しくは癌患者若しくは化学療法または放射線を受けている患者若しくは慢性腎臓病に、投与することを含む、抗体を含む医薬。
【請求項２】
抗体が以下から選択される請求項１の医薬；
（１）抗体は、SEQ ID NO:4、SEQ ID NO:5、SEQ ID NO:6、SEQ ID NO:9、SEQ ID NO:10あるいはSEQ ID NO:11のペプチドの少なくとも6つの連続したアミノ酸に特異的に結合する、
（２）抗体は、SEQ ID NO:3、SEQ ID NO:7あるいはSEQ ID NO:8のペプチドに、結合しないか、実質的に殆ど結合しない。
【請求項３】
癌細胞で発現するがヒトの未分化幹細胞では発現しないMUC1タンパク質のエピトープに特異的に結合する抗体、又はSEQ ID NO:3のペプチドに特異的に結合するが、SEQ ID NO:4のペプチドに結合しないか、実質的に殆ど結合しない抗体を、癌患者又は癌発症リスクのある患者に投与することを含む、抗体を含む医薬。
【請求項４】
以下の処方から選択されるMUC1陽性の癌と診断された患者用医薬；
（１）一価の癌細胞特異的抗体又は、SEQ ID NO:3のペプチドに特異的に結合するが、SEQ ID NO:4のペプチドに結合しないか、実質的に殆ど結合しない癌細胞特異抗体を、患者に投与することを含む。
（２）一価の癌細胞特異抗体および二価の幹細胞特異抗体を患者に投与することを含む。
（３）一価の癌細胞特異抗体および二価の幹細胞特異抗体を患者に投与することを含み、癌細胞特異抗体は、SEQ ID NO:3のペプチドに特異的に結合するが、SEQ ID NO:4のペプチドに結合しないか、実質的に殆ど結合しない、及び／又は幹細胞特異抗体は、SEQ ID NO:4、SEQ ID NO:5、SEQ ID NO:6、SEQ ID NO:9、SEQ ID NO:10あるいはSEQ ID NO:11のペプチドの少なくとも6つの連続したアミノ酸に特異的に結合するが、EQ ID NO:3、SEQ ID NO:7あるいはSEQ ID NO:8のペプチドに結合しないか、実質的に殆ど結合しない。
【請求項５】
以下から選ばれる抗体を、接触させることを含む、癌細胞の増殖をおこすことなしに、幹又は先祖細胞を増殖させる方法；
（１）ヒト幹細胞で発現するMUC1タンパク質のエピトープに特異的に結合する抗体、
（２）抗体は、SEQ ID NO:4、SEQ ID NO:5、SEQ ID NO:6、SEQ ID NO:9、SEQ ID NO:10あるいはSEQ ID NO:11のペプチドの少なくとも6つの連続したアミノ酸に特異的に結合する、
（３）抗体は、SEQ ID NO:4、SEQ ID NO:5、SEQ ID NO:6、SEQ ID NO:9、SEQ ID NO:10あるいはSEQ ID NO:11のペプチドの少なくとも6つの連続したアミノ酸に特異的に結合するが、SEQ ID NO:3、SEQ ID NO:7あるいはSEQ ID NO:8のペプチドに結合しないか、実質的に殆ど結合しない。
【請求項６】
次のいずれかのステップを含む、幹細胞に特異的に結合するが、癌細胞には結合しない抗体を得る方法:
(i) その配列が、SEQ ID NOS:1-11の配列をもつペプチドのいずれかであるペプチドを認識する抗体の混合セットの生成;
(ii) SEQ ID NO:4、SEQ ID NO:5、あるいはSEQ ID NO:6のペプチドに結合するが、SEQ ID NO:3のペプチドには結合しない抗体を選択すること;
(iii)表面に吸着されたとき、幹細胞の付着を促進する抗体を選択すること;
(iv)癌細胞になんらの影響なしに、二価型で幹細胞の成長を刺激し、一価型で幹細胞の成長を阻害する抗体を選択する。
又は
(i) その配列が、SEQ ID NOS:1-11の配列をもつペプチドのいずれかであるペプチドを認識する抗体の混合セットの生成;
(ii) SEQ ID NO:3のペプチドに結合するが、SEQ ID NO:4、SEQ ID NO:5、あるいはSEQ ID NO:6のペプチドには結合しない抗体を選択すること;
(iii)表面に吸着されたとき、癌細胞の付着を促進する抗体を選択すること;
(iv)幹細胞になんらの影響なしに、二価型で癌細胞の成長を刺激し、一価型で癌細胞の成長を阻害する抗体を選択する。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
生弱毒化イヌまたはネコウイルス、１０〜３０％（ｗ／ｖ）糖添加物およびアミノ酸を含む液体安定ワクチンであって、ここで、液体安定ワクチンは、６．０〜８．０のｐＨを有し、そしてここで、アミノ酸は、アルギニンおよびメチオニンからなる群から選択され、ここで、アミノ酸がアルギニンである場合には、液体安定ワクチンにおけるその最終濃度が０．１５〜０．６Ｍであり、そして、アミノ酸がメチオニンである場合には、液体安定ワクチンにおけるその最終濃度が０．０２５〜０．３Ｍである、液体安定ワクチン。
【請求項２】
生弱毒化イヌウイルスが、イヌジステンパーウイルス、イヌアデノウイルス２型、イヌパルボウイルス、イヌパラインフルエンザウイルスまたはそれらのいずれかの組み合せからなる群から選択される、請求項１記載の液体安定ワクチン。
【請求項３】
イヌパルボウイルス（ＣＰＶ）が、ＣＰＶ−２、ＣＰＶ−２ａ、ＣＰＶ−２ｂ、ＣＰＶ−２ｃ、および異種ＣＰＶ−２ｃ／ＣＰＶ−２ゲノムを含む組換えＣＰＶからなる群から選択される、請求項２記載の液体安定ワクチン。
【請求項４】
ＣＰＶ−２ｃがＡＴＣＣアセッション番号ＰＴＡ−１３４９２を有する、請求項３記載の液体安定ワクチン。
【請求項５】
イヌパラインフルエンザウイルスが、異種抗原をコードし発現する組換えベクターである、請求項２記載の液体安定ワクチン。
【請求項６】
０．４〜１．６％（ｗ／ｖ）ゼラチン、０．５〜２．０％（ｗ／ｖ）の、全カゼインのタンパク質加水分解物、０．２５〜１．０％（ｖ／ｖ）エタノール、キレート化剤、バッファー、抗生物質およびアジュバント、ならびにそれらのいずれかの組み合せからなる群から選択される成分を更に含む、請求項１、２、３、４または５記載の液体安定ワクチン。
【請求項７】
バッファーが、２．５〜５０ｍＭ  Ｔｒｉｓ、および２．５〜５０ｍＭ  ヒスチジンを含有する２．５〜５０ｍＭ  Ｔｒｉｓからなる群から選択される、請求項６記載の液体安定ワクチン。
【請求項８】
糖添加物が、スクロース、ソルビトールおよび糖とソルビトールとの組合せからなる群から選択される、請求項１、２、３、４、５、６または７記載の液体安定ワクチン。
【請求項９】
ワクチンが、不活化ウイルス、不活化細菌、および、不活化細菌を伴う不活化ウイルス、からなる群から選択される抗原を更に含む、請求項１、２、３、４、５、６、７または８記載の液体安定ワクチン。
【請求項１０】
不活化ウイルスが、イヌインフルエンザウイルス、イヌニューモウイルス、イヌコロナウイルスまたはそれらのいずれかの組み合せからなる群から選択される、請求項９記載の液体安定ワクチン。
【請求項１１】
不活化細菌が、ボルデテラ・ブロンキセプチカ（Ｂｏｒｄｅｔｅｌｌａ  ｂｒｏｎｃｈｉｓｅｐｔｉｃａ）、マイコプラズマ（Ｍｙｃｏｐｌａｓｍａ）属種、エールリキア・カニス（Ｅｈｒｌｉｃｈｉａ  ｃａｎｉｓ）、アナプラズマ（Ａｎａｐｌａｓｍａ）属種、レプトスピラ・カニコラ（Ｌｅｐｔｏｓｐｉｒａ  ｃａｎｉｃｏｌａ）、レプトスピラ・グリッポチホサ（Ｌｅｐｔｏｓｐｉｒａ  ｇｒｉｐｐｏｔｙｐｈｏｓａ）、レプトスピラ・ハージョ（Ｌｅｐｔｏｓｐｉｒａ  ｈａｒｄｊｏ）、レプトスピラ・イクテロヘモラジア（Ｌｅｐｔｏｓｐｉｒａ  ｉｃｔｅｒｏｈａｅｍｏｒｒｈａｇｉａｅ）、レプトスピラ・ポモナ（Ｌｅｐｔｏｓｐｉｒａ  Ｐｏｍｏｎａ）、レプトスピラ・インテロガンス（Ｌｅｐｔｏｓｐｉｒａ  ｉｎｔｅｒｒｏｇａｎｓ）、レプトスピラ・アウトムナリス（Ｌｅｐｔｏｓｐｉｒａ  ａｕｔｍｎａｌｉｓ）、レプトスピラ・ブラチスラバ（Ｌｅｐｔｏｓｐｉｒａ  Ｂｒａｔｉｓｌａｖａ）またはそれらのいずれかの組み合せからなる群から選択される、請求項９または１０記載の液体安定ワクチン。
【請求項１２】
請求項１、２、３、４、５、６、７、８、９、１０または１１記載の液体安定ワクチンをイヌに投与することを含む、イヌウイルスに対してイヌにワクチン接種する方法。
【請求項１３】
請求項１、２、３、４、５、６、７、８、９、１０または１１記載の液体安定ワクチンをイヌに投与することを含む、イヌジステンパーウイルス、イヌアデノウイルス２型、イヌパルボウイルスおよびイヌパラインフルエンザウイルスに対してイヌにワクチン接種する方法。
【請求項１４】
投与を皮下注射により行う、請求項１２または１３記載の方法。
【請求項１５】
生弱毒化イヌまたはネコウイルスの治療的有効量を、１０〜３０％（ｗ／ｖ）糖添加物、アミノ酸およびｐＨ６．０〜ｐＨ８．０のバッファー溶液と組み合わせて液体安定ワクチンを得ることを含む、請求項１、２、３、４、５、６、７、８、９、１０または１１記載の液体安定ワクチンの製造方法であって、
ここで、アミノ酸は、アルギニンおよびメチオニンからなる群から選択され、ここで、アミノ酸がアルギニンである場合には、液体安定ワクチンにおけるその最終濃度が０．１５〜０．６Ｍであり、そして、アミノ酸がメチオニンである場合には、液体安定ワクチンにおけるその最終濃度が０．０２５〜０．３Ｍである、製造方法。
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
免疫応答の抑制と関連した免疫不全の治療における使用のための、異種宿主の免疫処置に適した胎盤または胎盤抽出物を含む組成物。
【請求項２】
前記免疫不全が、癌、ヒト免疫不全ウイルス、慢性疲労症候群、またはウイルス誘導免疫抑制である、請求項１に記載の使用のための組成物。
【請求項３】
前記免疫不全が、癌であり、且つ、前記治療は、必要とするレシピエントへの異種胎盤の投与を含む、請求項１に記載の使用のための組成物。
【請求項４】
前記胎盤が実質的にホモジナイズされ、単離された細胞はワクチン接種のために使用される、請求項１〜３のいずれか一項に記載の使用のための組成物。
【請求項５】
前記単離された細胞が、栄養膜、栄養膜の合胞(syncytial)細胞、および内皮細胞である、請求項４に記載の使用のための組成物。
【請求項６】
抗原提示細胞をさらに含む、請求項１〜３のいずれか一項に記載の使用のための組成物。
【請求項７】
前記抗原提示細胞が樹状細胞である、請求項６に記載の使用のための組成物。
【請求項８】
前記胎盤調製物の起源がブタであり、前記レシピエントがヒトである、請求項３に記載の使用のための組成物。
【請求項９】
アジュバントをさらに含む、請求項３に記載の使用のための組成物。
【請求項１０】
抗原供給源から腫瘍交差反応性抗原を抽出する方法であって、
（ａ）胎盤タンパク質を単離し精製するステップと、
（ｂ）前記精製された異種胎盤タンパク質の１つまたは複数を用いて、腫瘍担持実験レシピエントを免疫処置するステップと、
（ｃ）興味対象の個々の腫瘍に対する免疫の最も強力な誘導物質である、異種胎盤からのタンパク質を同定するステップと、
を含む方法。
【請求項１１】
異種胎盤タンパク質抽出物、異種胎盤由来細胞、異種栄養膜、または同種異系もしくは異種腫瘍細胞と融合された異種栄養膜を含む組成物であって、当該組成物による患者の免疫処置を含む癌の治療における使用のための組成物。
【請求項１２】
アジュバントをさらに含む、請求項１１に記載の使用のための組成物。
【請求項１３】
前記アジュバントが、化学物質、化学物質の組成物、細菌由来の化合物、免疫刺激受容体のアゴニスト、または樹状細胞である、請求項１２に記載の使用のための組成物。
【請求項１４】
前記アジュバントが、ＤＥＴＯＸ、ＩＬ−１２、ＣｐＧ−オリゴデオキシヌクレオチド、ＣＴＬＡ−４遮断薬(blockade)、ＩＦＮ−アルファ２ｂ、ＣＣＲ５遮断薬、水酸化アルミニウム、モンタニド（ｍｏｎｔａｎｉｄｅ）ＩＳＡ  ５１、ＧＭ−ＣＳＦからなる群から選択される、請求項１３に記載の使用のための組成物。
【請求項１５】
前記アジュバントが、４−１ＢＢＴ、ＩＬ−２、ＩＬ−１２、ＧＭ−ＣＳＦ、ＯＸ−４０リガンド、ＩＦＮ−ガンマ、熱ショックタンパク質７０、およびシャペロンリッチな細胞溶解物からなる群から選択された遺伝子でトランスフェクトされた樹状細胞である、請求項１３に記載の使用のための組成物。
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
抗菌剤ダプトマイシンおよびリン酸トコフェリル加水分解物混合物(TPM)を含む凍結乾燥製剤。
【請求項２】
安定であり、非経口投与のために5分以内にすぐに再溶解できる、有効成分として抗菌剤ダプトマイシンを含む請求項1に記載の凍結乾燥製剤。
【請求項３】
ダプトマイシンが350〜500mgの範囲である、請求項1または2に記載の凍結乾燥ダプトマイシン製剤。
【請求項４】
リン酸トコフェリル加水分解物混合物(TPM)が、0.5%リン酸トコフェリル加水分解物、1.7%エタノール、pH調整剤の0.1M NaOHおよび水を含む、請求項1から3のいずれか一項に記載の凍結乾燥ダプトマイシン製剤。
【請求項５】
i)リン酸トコフェリル加水分解物混合物(TPM)を連続的な撹拌下で無水エタノール中に溶解させ、続いてこの溶液を2〜8℃の温度で注射用水に加える工程;
ii)ダプトマイシンを連続的な撹拌下で工程(i)の溶液中に溶解させ、続いて水酸化ナトリウム溶液でpHを3.5〜5.0に調整し、体積を100%にする工程;
iii)工程(ii)の溶液をろ過し、滅菌したバイアル中に充填し、凍結乾燥する工程
を含む、安定した凍結乾燥ダプトマイシン製剤を調製するための方法。
【請求項６】
リン酸トコフェリル加水分解物混合物(TPM)が、0.5%リン酸トコフェリル加水分解物、1.7%エタノール、pH調整剤の0.1M NaOHおよび水を含む、請求項5に記載の方法。
【請求項７】
薬剤として使用するための、請求項1から4のいずれか一項に記載の凍結乾燥製剤。
【請求項８】
細菌感染の治療において使用するための、請求項1から4のいずれか一項に記載の凍結乾燥製剤。
【請求項９】
前記治療が、有効量の再溶解させた請求項1から4のいずれか一項の凍結乾燥ダプトマイシン製剤を非経口投与する工程を含む、請求項8に記載の凍結乾燥製剤。
【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
典型的には後眼部の眼科疾患又は病態を処置するための硝子体内注入によって送達される薬剤的に有効量の活性成分、及びＰＥＧ系脂質から形成される熱力学的に安定な自己形成リポソームを含み、前記脂質の重量パーセンテージが約２０ｗｔ％未満であり、前記活性成分がステロイドである、局所製剤。
【請求項２】
前記後眼部の疾患又は病態が、加齢黄斑変性又は糖尿病性網膜症から選択される、請求項１に記載の製剤。
【請求項３】
前記活性成分が、トリアムシノロンアセトニドである、請求項１に記載の製剤。
【請求項４】
リポソーム及びステロイドを含む、後眼部疾患を処置するための局所送達のための眼科製剤。
【請求項５】
前記リポソームが、熱力学的に安定な自己形成リポソームである、請求項４に記載の製剤。
【請求項６】
前記ステロイドが、トリアムシノロンアセトニドである、請求項５に記載の製剤。
【請求項７】
後眼部疾患を有する患者を処置するための医薬の製造における眼科製剤の使用であって、前記眼科製剤が、リポソーム及びステロイド、並びに／又は典型的には、硝子体内注入によって眼に送達される他の薬品を含む局所製剤である、使用。
【請求項８】
前記後眼部疾患が糖尿病黄斑浮腫である、請求項７に記載の使用。
【請求項９】
前記ステロイドが、トリアムシノロンアセトニドから選択される、請求項７に記載の使用。
【請求項１０】
前記トリアムシノロンアセトニドが製剤一滴あたり５０〜１５０μｇの範囲の投薬量で投与され、眼に一滴、局所的に適用される、請求項９に記載の使用。
【請求項１１】
前記製剤で処置された患者は中心窩厚さ及び視力の改善を示す、請求項７に記載の使用。
【請求項１２】
リポソームの製剤であって、自己形成する熱力学的に安定なリポソーム、並びにコルチコステロイドまたは抗菌剤と、抗ウイルス剤、コルチコステロイド、及び抗血管内皮増殖因子作用剤の何れか１つもしくは複数との組合せである有効な医薬品を含み、
眼科疾患又は病態を処置するための、患者の眼への局所送達に適した、製剤。
【請求項１３】
ステロイドおよびリポソームを含み、前記ステロイドがトリアムシノロンである、リポソームの眼科用懸濁液。
【請求項１４】
２０％未満のリポソームを有する、請求項１３に記載の懸濁液。
【請求項１５】
前記リポソームがＰＥＧ−１２−ＧＤＭである、請求項１３に記載の懸濁液。
【請求項１６】
緩衝液、防腐剤および非イオン性界面活性剤も含む、請求項１５に記載の懸濁液。
【請求項１７】
前記リポソームが１〜２０重量％で存在する、請求項１３に記載の懸濁液。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
Ｉ型ＩＦＮ受容体に特異的に結合する抗体を含む、自己免疫疾患の治療薬であって、前記抗体の固定用量が投与され、前記抗体が配列番号１及び配列番号２のアミノ酸配列を含む、治療薬。
【請求項２】
前記固定用量が、約３００ｍｇ〜約１０００ｍｇの範囲である、請求項１に記載の治療薬。
【請求項３】
前記固定用量が、約３００ｍｇよりも低い、請求項１に記載の治療薬。
【請求項４】
前記固定用量が、約１００ｍｇである、請求項１に記載の治療薬。
【請求項５】
前記固定用量が、約３００ｍｇ、約４００ｍｇ、約５００ｍｇ、約６００ｍｇ、約７００ｍｇ、約８００、約９００ｍｇ、および約１０００ｍｇからなる群から選択される、請求項１に記載の治療薬。
【請求項６】
前記自己免疫疾患が、全身性エリテマトーデス（ＳＬＥ）、強皮症（ＳＳｃ）、筋炎、または狼瘡性腎炎である、請求項１に記載の治療薬。
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
少なくとも１つのデッキ（１０Ｐ）および船郭（１０１、１０３、１０５）を備える艦艇（１００、１０２、１０４）を隠蔽する隠蔽方法であって、艦艇（１００、１０２、１０４）内に少なくとも１つのガスタービン（１）を組み込むことから成り、前記組み込むことが、艦艇（１００）のデッキ（１０Ｐ）上かつ／または艦艇（１０２、１０４）内で、特に実質的に喫水線（ＬＦ）以上でなされることが可能であり、前記隠蔽方法がさらに、ガスタービン（１）からの放出部（３ｓ）で流体（Ｈ１）を噴射することと、浮遊状態の流体が加えられた、煙流と呼ばれるガス流（Ｆ３）を、前記煙流（Ｆ３）を方向付けるように艦艇（１００、１０２、１０４）の船郭（１０１、１０３、１０５）に形成された少なくとも１つの出口（１４）に案内する（１１、１１’、１１ａ”、１１”ｂ）こととから成ることを特徴とする、隠蔽方法。
【請求項２】
色付きの、粉末状の、臭いのある、煙を発生させる添加物および／または黒鉛粉から選択された添加物の噴射も煙生成器（１）の出口（３ｓ）で実行される、請求項１に記載の隠蔽方法。
【請求項３】
煙流（Ｆ３）の案内部（１１、１１’、１１ａ”、１１”ｂ）が、船郭（１０１、１０３、１０５）からの案内出口（１４）が艦艇（１００、１０２、１０４）の喫水線（ＦＬ）以上で作り出されるように構成される、請求項１および２のいずれかに記載の隠蔽方法。
【請求項４】
煙流（Ｆ３）および出口が１つまたは複数のデッキ（１０Ｐ）と喫水線（ＬＦ）との間に方向付けられるように、喫水線（ＬＦ）で煙流（Ｆ３）を、艦艇（１００、１０２、１０４）の移動と走航条件とに応じて配向するために、案内部（１１、１１’、１１ａ”、１１”ｂ）の配向は、艦艇（１００、１０２、１０４）の船郭（１０１、１０３、１０５）からの出口（１４）で、艦艇（１００、１０２、１０４）の１つまたは複数のデッキ（１０Ｐ）と平行な基準面での、かつ／または基準面に直角の面での配向によって適合可能である、請求項１から３のいずれか一項に記載の隠蔽方法。
【請求項５】
出口（１４）で蒸発を発生させ、煙を、艦艇（１００、１０２、１０４）を取り囲む水の広がりの上に置かれた状態にしておくために、煙流（Ｆ３）は、艦艇の船郭（１０１、１０３、１０５）から出現する前に冷却され、加湿（１８）によって高密度にされる、請求項１から４のいずれか一項に記載の隠蔽方法。
【請求項６】
請求項１から５のいずれか一項に記載の方法を実施することを目的とした、艦艇（１００、１０２、１０４）を隠蔽する隠蔽装置（１０、１０’；１０”ａ、１０”ｂ）にして、ガス発生器（２）から構成されるガスタービン（１）と燃料タンク（４１）に接続されたガスを噴出させる管（３）とを備える隠蔽装置（１０、１０’；１０”ａ、１０”ｂ）であって、排出管（３）には、流体、特に油をガスタービン（１）からの排出ガス（Ｆ２）の中に噴射し、煙流と呼ばれる、浮遊状態の流体を備えたガス流（Ｆ３）を形成する、少なくとも１つのタンク（４２）に接続された少なくとも１つの流体噴射器（７１）が設けられ、排出管（３）は、煙流（Ｆ３）用の少なくとも１つの導管（１１、１１’、１１”ａ、１１”ｂ）または案内導管分岐路（１１’ａ、１１”ｂ）に結合されることを特徴とする、隠蔽装置（１０、１０’；１０”ａ、１０”ｂ）。
【請求項７】
導管または各導管あるいは分岐路または各分岐路（１１、１１’、１１”ａ、１１”ｂ、１１’ａ、１１’ｂ）が、煙流（Ｆ３）の速度を実質的に低下させるために、管（３）に接続された少なくとも１つの円錐台形状の分岐部位（１２）を備える、請求項６に記載の隠蔽装置。
【請求項８】
煙流（Ｆ３）を冷却し、高密度にするために、導管または各導管あるいは分岐路または各分岐路（１１、１１’、１１”ａ、１１”ｂ、１１’ａ、１１’ｂ）の端領域（１５）内に、ガス流（Ｆ３）の中に外部流体を噴射する噴射器（１８）が配置され、外部流体は特に、前記端領域（１５）内のガス流（Ｆ３）の温度よりも実質的に低い温度の海水である、請求項６または請求項７いずれかに記載の隠蔽装置。
【請求項９】
導管または各導管あるいは分岐路または各分岐路（１１、１１’、１１”ａ、１１”ｂ、１１’ａ、１１’ｂ）には端部（１４）で、導管または分岐路（１１、１１’、１１”ａ、１１”ｂ、１１’ａ、１１’ｂ）の出口（１４）で煙流（Ｆ３）を方向付けるために少なくとも１つの平面内で配向可能なノズル（１９）、あるいは管の端領域（１５）内で配向可能なグリル（１７ｇ）が設けられ、グリル（１７ｇ）は導管または分岐路（１１、１１’、１１”ａ、１１”ｂ、１１’ａ、１１’ｂ）を通過する煙流（Ｆ３）を方向付けることが可能である、請求項６から８のいずれか一項に記載の隠蔽装置。
【請求項１０】
少なくとも１つのデッキ、船郭、および請求項６から９のいずれか一項に記載の少なくとも１つの装置が設けられた艦艇であって、装置（１１）は、艦艇（１００）のデッキ（１０Ｐ）上または船倉（３１、３２、３３）内に配置され、次いで導管および分岐路（１１、１１’、１１”ａ、１１”ｂ、１１’ａ、１１’ｂ）の長さは、予め形成された開口部（１３）を通って艦艇の船郭（１０１、１０３、１０５）から出現するように決定されることを特徴とする、艦艇。
【手続補正書】
【提出日】平成28年7月1日(2016.7.1)
【手続補正１】
【補正対象書類名】明細書
【補正対象項目名】００１８
【補正方法】変更
【補正の内容】
【００１８】
研磨装置１００は、スラリ等の研磨液１３２を研磨パッド１１０上に分注するためのポート１３０を含むことができる。研磨装置はまた、研磨パッド１１０を磨いて、研磨パッド１１０を一貫した研磨状態に維持する研磨パッドコンディショナーも含むことができる。
【手続補正２】
【補正対象書類名】明細書
【補正対象項目名】００２０
【補正方法】変更
【補正の内容】
【００２０】
具体的には、各キャリアヘッド１４０は、軟性膜１４４及び、基板１０を軟性膜１４４より下に保持する保持リング１６０を含むことができる。各キャリアヘッド１４０はまた、膜によって画定される複数の個別に制御可能である加圧可能なチャンバ、例えば３つのチャンバ１４６ａ〜１４６ｃ、を含み、これらチャンバは、個別に制御可能な圧力を、軟性膜１４４の上の、したがって基板１０の上の、関連ゾーン１４８ａ〜１４８ｃにかけることができる（図２参照）。図２を参照すると、中心ゾーン１４８ａは実質的に円形であってよく、残りのゾーン１４８ｂ〜１４８ｃは、中心ゾーン１４８ａの周囲の同心環状ゾーンであってよい。説明を簡略化するために、図１及び図２には３つのチャンバのみを図示したが、１個又は２個のチャンバ、又は４個又はそれ以上のチャンバ、例えば５個のチャンバがあってよい。
【手続補正３】
【補正対象書類名】明細書
【補正対象項目名】００２９
【補正方法】変更
【補正の内容】
【００２９】
幾つかの実施態様では、インシトゥモニタシステム１７０のセンサが、プラテン１２０の中に設置され、プラテン１２０と共に回転する。この場合、プラテン１２０の運動により、センサが各基板を横切って走査するであろう。具体的には、プラテン１２０が回転するとき、コントローラ１９０は、センサからの信号を、例えば、あるサンプリング周波数でサンプリングすることができる。当該サンプリング周波数で測定値を生成するため、あるサンプリング期間にわたってセンサからの信号を積分することができる。
【手続補正４】
【補正対象書類名】明細書
【補正対象項目名】００３１
【補正方法】変更
【補正の内容】
【００３１】
図示したように、プラテンの一回転にわたって、基板１０及び保持リング１６０上の様々の半径から測定値が取得される。すなわち、幾つかの測定値は、基板１０の中心により近い位置から取得され、幾つかの測定値は、基板１０のエッジにより近い位置から取得され、そして、幾つかの測定値は、保持リングの下の位置から取得される。
【手続補正５】
【補正対象書類名】明細書
【補正対象項目名】００３４
【補正方法】変更
【補正の内容】
【００３４】
センサからの連続的な信号のどの部分が、基板、保持リング及びオフウェハゾーンに対応するかは、例えば、位置センサ及び／又はモータエンコーダにより測定される、プラテン角度位置及びキャリアヘッド位置に基づいて、決定することができる。例えば、基板を横切るセンサの任意の所定の走査について、タイミング、モータエンコーダ情報、及び／又は、基板のエッジ及び／又は保持リングの光学検出に基づき、コントローラ１９０は、走査からの各測定値の（走査されている基板の中心に対する）半径方向の位置を計算することができる。研磨システムはまた、測定値の位置の決定のための追加データを提供する回転位置センサ、例えば、固定光学断続器を通過するプラテンのエッジに取り付けられるフランジ、を含むことができる。幾つかの実施態様では、スペクトルの測定の時間が、半径方向の位置の正確な計算のために、代替として使用されうる。測定値の半径方向の位置の決定が、米国特許第６，１５９，０７３号及び米国特許第７，０９７，５３７号において論じられており、各々が参照により組み込まれる。
【手続補正６】
【補正対象書類名】明細書
【補正対象項目名】００４０
【補正方法】変更
【補正の内容】
【００４０】
加えて、幾つかの実施態様では、コントローラは、既定の半径ゾーンより内側にある様々な測定値を、基板１０上の制御可能なゾーン１４８ｂ〜１４８ｃ（図２を参照）と関連付ける。
【手続補正７】
【補正対象書類名】明細書
【補正対象項目名】００４３
【補正方法】変更
【補正の内容】
【００４３】
例えば、コントローラ１９０は、最も外側の領域１４８ｃに加えられる圧力、例えば、最も外側のチャンバ１４６ｃにより加えられる圧力、を調整するように、構成されうる。例えば、保持リングの摩耗が、基板での研磨速度の増加に帰着する場合、コントローラは、基板１０の最も外側の領域１４８ｃに加えられる圧力を減少させることができる。この場合、最も外側の領域１４８ｃへの圧力を設定する関数は、信号強度Ｓ２を入力として取り、そして、関数は、Ｓ２が増加する場合に減少する所望の圧力を出力するように、選択される。逆に、保持リングの摩耗が、基板エッジでの研磨速度の減少に帰着する場合、コントローラは、基板１０の最も外側の領域１４８ｃに加えられる圧力を増加させることができる。この場合、最も外側の領域１４８ｃへの圧力を設定する関数は、信号強度Ｓ２を入力として取り、そして、関数は、Ｓ２が増加する場合に増加する所望の圧力を出力するように、選択される。
【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
ラクトバチルス・ロイテリ（Ｌａｃｔｏｂａｃｉｌｌｕｓ  ｒｅｕｔｅｒｉ）ＪＣＭ１１１２のゲノム（配列番号１）に少なくとも９５％の同一性を有し、以下の４つの位置：塩基対２７１  ３９１におけるＣ、塩基対４５３  ５３８におけるＧ、塩基対５２９  ２２８におけるＧ、及び塩基対５９９  ３３８におけるＣの少なくとも１つ若しくは２つ若しくは３つ又は全てにおいて、ラクトバチルス・ロイテリ（Ｌａｃｔｏｂａｃｉｌｌｕｓ  ｒｅｕｔｅｒｉ）ＪＣＭ１１１２のゲノム（配列番号１）に対して同一のヌクレオチドを保持している乳酸菌株を選択することを含む、骨量減少の予防又は処置に用いるための乳酸菌株を選択するための方法。
【請求項２】
以下の４つの位置：塩基対２７１  ３９１におけるＣ、塩基対４５３  ５３８におけるＧ、塩基対５２９  ２２８におけるＧ、及び塩基対５９９  ３３８におけるＣの少なくとも１つ若しくは２つ若しくは３つ又は全てにおいて、ラクトバチルス・ロイテリ（Ｌａｃｔｏｂａｃｉｌｌｕｓ  ｒｅｕｔｅｒｉ）ＪＣＭ１１１２のゲノム（配列番号１）に対して同一のヌクレオチドを保持しているラクトバチルス・ロイテリ（Ｌａｃｔｏｂａｃｉｌｌｕｓ  ｒｅｕｔｅｒｉ）を選択することを含む、骨量減少の予防又は処置に用いるための乳酸菌株を選択するための方法。
【請求項３】
乳酸菌株が、塩基対２７１  ３９１におけるＣからＴ、塩基対４５３  ５３８におけるＧからＡ、塩基対５２９  ２２８におけるＧからＡ、及び塩基対５９９  ３３８におけるＣからＴからなる４つの変異の群から選択される、ラクトバチルス・ロイテリ（Ｌａｃｔｏｂａｃｉｌｌｕｓ  ｒｅｕｔｅｒｉ）ＪＣＭ１１１２のゲノム（配列番号１）に対する少なくとも１つ若しくは２つ若しくは３つ又は全ての変異を保持していないという条件で、ラクトバチルス・ロイテリ（Ｌａｃｔｏｂａｃｉｌｌｕｓ  ｒｅｕｔｅｒｉ）ＪＣＭ１１１２のゲノム（配列番号１）に少なくとも９５％の同一性を有する乳酸菌株を選択することを含む、骨量減少の予防又は処置に用いるための乳酸菌株を選択するための方法。
【請求項４】
骨量減少の予防又は処置に用いるための、請求項１から３までのいずれか一項に記載の方法にしたがって選択される、乳酸菌株。
【請求項５】
骨量減少の予防又は処置に用いるための、ラクトバチルス・ロイテリ（Ｌａｃｔｏｂａｃｉｌｌｕｓ  ｒｅｕｔｅｒｉ）ＪＣＭ１１１２のゲノム（配列番号１）に少なくとも９５％の同一性を有し、以下の４つの位置：塩基対２７１  ３９１におけるＣ、塩基対４５３  ５３８におけるＧ、塩基対５２９  ２２８におけるＧ、及び塩基対５９９  ３３８におけるＣの少なくとも１つにおいて、ラクトバチルス・ロイテリ（Ｌａｃｔｏｂａｃｉｌｌｕｓ  ｒｅｕｔｅｒｉ）ＪＣＭ１１１２のゲノム（配列番号１）に対して同一のヌクレオチドを保持している乳酸菌株。
【請求項６】
ラクトバチルス・ロイテリ（Ｌａｃｔｏｂａｃｉｌｌｕｓ  ｒｅｕｔｅｒｉ）ＡＴＣＣ  ＰＴＡ  ６４７５である、請求項５に記載の乳酸菌株。
【請求項７】
請求項１から３までのいずれか一項に記載の方法にしたがって選択される乳酸菌株を含む組成物。
【請求項８】
ラクトバチルス・ロイテリ（Ｌａｃｔｏｂａｃｉｌｌｕｓ  ｒｅｕｔｅｒｉ）ＪＣＭ１１１２のゲノム（配列番号１）に少なくとも９５％の同一性を有し、以下の４つの位置：塩基対２７１  ３９１におけるＣ、塩基対４５３  ５３８におけるＧ、塩基対５２９  ２２８におけるＧ、及び塩基対５９９  ３３８におけるＣの少なくとも１つにおいて、ラクトバチルス・ロイテリ（Ｌａｃｔｏｂａｃｉｌｌｕｓ  ｒｅｕｔｅｒｉ）ＪＣＭ１１１２のゲノム（配列番号１）に対して同一のヌクレオチドを保持している乳酸菌株を含む組成物。
【請求項９】
乳酸菌株がラクトバチルス・ロイテリ（Ｌａｃｔｏｂａｃｉｌｌｕｓ  ｒｅｕｔｅｒｉ）ＡＴＣＣ  ＰＴＡ  ６４７５である、請求項８に記載の組成物。
【請求項１０】
骨量減少の予防又は処置に用いるための、請求項７から９までのいずれか一項に記載の組成物。
【請求項１１】
閉経期の女性、子宮摘出を受けた女性、糖尿病患者、骨減少性の個体、骨粗鬆症の個体、及び代謝障害を有する個体における骨量減少の予防に用いるための、請求項７から９までのいずれか一項に記載の組成物。
【請求項１２】
骨折後の骨修復の改善に用いるための、請求項７から９までのいずれか一項に記載の組成物。
【請求項１３】
骨量減少の予防又は処置に用いるための、ビタミンＤ又はホルモンと組み合わされた、請求項７から９までのいずれか一項に記載の組成物。
【請求項１４】
組成物が、医薬組成物、食品製品、又は食品サプリメントである、請求項７から１３までのいずれか一項に記載の組成物。